(57)【要約】【課題】１回だけ記録可能な記録媒体、及び前記１回だけ記録可能な記録媒体（例えば、ＢＤ−ＷＯ）上の欠陥情報を管理する方法及び装置を提供する。【解決手段】本発明に係る方法は、光ディスク上の欠陥領域を管理するための欠陥管理情報として仮欠陥リスト（ＴＤＦＬ）を記録するための仮欠陥管理領域（ＴＤＭＡ）を備え、前記仮欠陥管理領域（ＴＤＭＡ）内に最新の仮欠陥リスト（ＴＤＦＬ）を前の仮欠陥リスト（ＴＤＦＬ）と共に累積的に記録し、前記仮欠陥管理領域（ＴＤＭＡ）内の前記最新の仮欠陥リスト（ＴＤＦＬ）の位置を指定する位置情報を仮欠陥リストと共に記録することにより、より効率よく仮欠陥管理領域（ＴＤＭＡ）の管理を行う。【選択図】図５Ｂ
2010176833.tif 000002
【特許請求の範囲】
【請求項１】
最新の欠陥管理領域を有する非データ領域と、ユーザ領域およびスペア領域を有するデータ領域と、を含む記録媒体の管理方法において、
（ａ）前記非データ領域および前記スペア領域のうち少なくとも一つに割り当てられている仮欠陥管理領域の一つまたはそれ以上の記録単位に、前記データ領域内に存在する欠陥領域を管理するための欠陥リストを記録するステップと、
前記仮欠陥管理領域に、前記欠陥リストの位置情報を記録するステップと、
を備え、
前記位置情報は、前記欠陥リストを含む前記一つまたはそれ以上の記録単位の位置をそれぞれ表す一つまたはそれ以上の欠陥リストポインタを含み、
（ｂ）前記一つまたはそれ以上の記録単位のうちの一つの記録単位に欠陥がある場合に、
当該欠陥のある記録単位に記録すべき欠陥リストデータを前記仮欠陥管理領域の他の記録単位に書き換えするステップと、
アップデートされた位置情報を前記仮欠陥管理領域に記録するステップと、
を備え、
前記アップデートされた位置情報は、前記欠陥のある記録単位の位置を表す欠陥リストポインタの代わりに、前記他の記録単位の位置を表す欠陥リストポインタを含む、
ことを特徴とする記録媒体の管理方法。
【請求項２】
前記仮欠陥管理領域のそれぞれの記録単位のサイズが１クラスタである、
ことを特徴とする請求項１に記載の記録媒体の管理方法。
【請求項３】
前記位置情報は複数の欠陥リストポインタを含み、
前記一つまたはそれ以上の記録単位の位置を表すのに使用されていない欠陥リストポインタはゼロと設定される、
ことを特徴とする請求項１または２に記載の記録媒体の管理方法。
【請求項４】
前記位置情報は、前記欠陥リストを含む前記一つまたはそれ以上の記録単位のうち最新の記録単位に記録される、
ことを特徴とする請求項３に記載の記録媒体の管理方法。
【請求項５】
最新の欠陥管理領域を有する非データ領域と、ユーザ領域およびスペア領域を有するデータ領域と、を含む記録媒体の管理装置において、
前記記録媒体にデータを記録するピックアップと、
前記ピックアップと連動可能に接続され、前記ピックアップが、前記非データ領域および前記スペア領域のうち少なくとも一つに割り当てられている仮欠陥管理領域の一つまたはそれ以上の記録単位に、前記データ領域内に存在する欠陥領域を管理するための欠陥リストを記録し、且つ前記仮欠陥管理領域に、前記欠陥リストの位置情報を記録するように制御するマイクロコンピュータと、
を備え、
前記位置情報は、前記欠陥リストを含む前記一つまたはそれ以上の記録単位の位置をそれぞれ表す一つまたはそれ以上の欠陥リストポインタを含み、
前記一つまたはそれ以上の記録単位のうちの一つの記録単位に欠陥がある場合に、
前記マイクロコンピュータは、前記ピックアップが、当該欠陥のある記録単位に記録すべき欠陥リストデータを前記仮欠陥管理領域の他の記録単位に書き換えするように、且つアップデートされた位置情報を前記仮欠陥管理領域に記録するように制御し、
前記アップデートされた位置情報は、前記欠陥のある記録単位の位置を表す欠陥リストポインタの代わりに、前記他の記録単位の位置を表す欠陥リストポインタを含む、
ことを特徴とする記録媒体の管理装置。
【請求項６】
前記マイクロコンピュータは、前記ピックアップが、前記仮欠陥管理領域のそれぞれの記録単位を１クラスタのサイズとして記録するように制御する、
ことを特徴とする請求項５に記載の記録媒体の管理装置。
【請求項７】
前記マイクロコンピュータは、前記記録媒体への更なる記録を行わないときに、前記ピックアップが、前記最新の欠陥管理領域に、前記仮欠陥管理領域に記録された前記最新の欠陥リストを記録するように制御することを特徴とする請求項６に記載の記録媒体の管理装置。
【請求項８】
前記位置情報は複数の欠陥リストポインタを含み、
前記マイクロコンピュータは、前記一つまたはそれ以上の記録単位の位置を表すのに使用されていない欠陥リストポインタをゼロと設定する、
ことを特徴とする請求項６または７に記載の記録媒体の管理装置。
【請求項９】
前記マイクロコンピュータは、前記ピックアップが、前記欠陥リストを含む前記一つまたはそれ以上の記録単位のうち最新の記録単位に、前記位置情報を記録するように制御する、
ことを特徴とする請求項８に記載の記録媒体の管理装置。
【請求項１０】
前記位置情報は合計８つの前記欠陥リストポインタを含む、
ことを特徴とする請求項９に記載の記録媒体の管理装置。
【請求項１１】
前記ピックアップが前記記録媒体と一定の間隔を保持するように制御し、且つ前記ピックアップが前記記録媒体のトラックをトラッキングするように制御するサーボと、
前記記録媒体に記録されるデータを処理し、当該処理されたデータを前記ピックアップに供給するデータプロセッサと、
前記記録媒体に関わるデータを格納するメモリと、
を備え、
前記マイクロコンピュータは、前記ピックアップ、前記サーボ、前記データプロセッサ、および前記メモリの構成要素と連動可能に接続され、
前記マイクロコンピュータは、前記構成要素を制御することにより、前記ピックアップが前記欠陥リストおよび前記位置情報を前記仮欠陥管理領域の前記一つまたはそれ以上の記録単位に記録するように制御する、
ことを特徴とする請求項１０に記載の記録媒体の管理装置。
【請求項１２】
最新の欠陥管理領域を有する非データ領域と、ユーザ領域およびスペア領域を有するデータ領域と、を含む記録媒体の管理方法において、
（ａ）前記非データ領域および前記スペア領域のうち少なくとも一つに割り当てられている仮欠陥管理領域より、欠陥リストの位置情報を読み込むステップを備え、
前記位置情報は、対応記録単位の位置を表す一つまたはそれ以上の欠陥リストポインタを含み、
前記対応記録単位は、欠陥を有さず、前記仮欠陥管理領域の前記欠陥リストを含み、
（ｂ）前記位置情報に基づき、前記仮欠陥管理領域の前記対応記録単位より前記欠陥リストを取得するステップを更に備える、
ことを特徴とする記録媒体の管理方法。
【請求項１３】
（ｃ）前記欠陥リストを含む一つの記録単位に欠陥があり、当該欠陥のある記録単位が前記仮欠陥管理領域の他の記録単位に置き換えられた場合に、前記位置情報をアップデートするステップを更に備え、
当該アップデートされた位置情報が、前記欠陥のある記録単位の位置を表す欠陥リストポインタの代わりに、前記他の記録単位の位置を表す欠陥リストポインタを含む、
ことを特徴とする請求項１２に記載の記録媒体の管理方法。
【請求項１４】
最新の欠陥管理領域を有する非データ領域と、ユーザ領域およびスペア領域を有するデータ領域と、を含む記録媒体の管理装置において、
前記記録媒体にデータを記録するピックアップと、
前記ピックアップと連動可能に接続され、前記ピックアップを制御するマイクロコンピュータと、
を備え、
前記マイクロコンピュータは、前記ピックアップが、前記非データ領域および前記スペア領域のうち少なくとも一つに割り当てられている仮欠陥管理領域より、欠陥リストの位置情報を読み込むように制御し、
前記位置情報は、対応記録単位の位置を表す一つまたはそれ以上の欠陥リストポインタを含み、
前記対応記録単位は、欠陥を有さず、前記仮欠陥管理領域の前記欠陥リストを含み、
前記マイクロコンピュータは、前記ピックアップが、前記位置情報に基づき、前記仮欠陥管理領域の前記対応記録単位より前記欠陥リストを取得するように制御する、
ことを特徴とする記録媒体の管理装置。
【請求項１５】
前記欠陥リストを含む一つの記録単位に欠陥があり、当該欠陥のある記録単位が前記仮欠陥管理領域の他の記録単位に置き換えられた場合に、前記マイクロコンピュータは、前記位置情報をアップデートし、
当該アップデートされた位置情報が、前記欠陥のある記録単位の位置を表す欠陥リストポインタの代わりに、前記他の記録単位の位置を表す欠陥リストポインタを含む、
ことを特徴とする請求項１４に記載の記録媒体の管理装置。
【請求項１６】
最新の欠陥管理領域を有する非データ領域と、ユーザ領域およびスペア領域を有するデータ領域と、を含む記録媒体を管理する動作を実行するプログラムを格納したコンピュータ読み取り可能な記録媒体において、
前記プログラムは、
（ａ）前記非データ領域および前記スペア領域のうち少なくとも一つに割り当てられている仮欠陥管理領域の一つまたはそれ以上の記録単位に、前記データ領域内に存在する欠陥領域を管理するための欠陥リストを記録するステップと、
前記仮欠陥管理領域に、前記欠陥リストの位置情報を記録するステップと、
を実行するようにプログラムされ、
前記位置情報は、前記欠陥リストを含む前記一つまたはそれ以上の記録単位の位置をそれぞれ表す一つまたはそれ以上の欠陥リストポインタを含み、
（ｂ）前記一つまたはそれ以上の記録単位のうちの一つの記録単位に欠陥がある場合に、
当該欠陥のある記録単位に記録すべき欠陥リストデータを前記仮欠陥管理領域の他の記録単位に書き換えするステップと、
アップデートされた位置情報を前記仮欠陥管理領域に記録するステップと、
を実行するようにプログラムされ、
前記アップデートされた位置情報は、前記欠陥のある記録単位の位置を表す欠陥リストポインタの代わりに、前記他の記録単位の位置を表す欠陥リストポインタを含む、
ことを特徴とするコンピュータ読み取り可能な記録媒体。
【請求項１７】
最新の欠陥管理領域を有する非データ領域と、ユーザ領域およびスペア領域を有するデータ領域と、を含む記録媒体を管理する動作を実行するプログラムにおいて、
（ａ）前記非データ領域および前記スペア領域のうち少なくとも一つに割り当てられている仮欠陥管理領域の一つまたはそれ以上の記録単位に、前記データ領域内に存在する欠陥領域を管理するための欠陥リストを記録するステップと、
前記仮欠陥管理領域に、前記欠陥リストの位置情報を記録するステップと、
を実行するようにプログラムされ、
前記位置情報は、前記欠陥リストを含む前記一つまたはそれ以上の記録単位の位置をそれぞれ表す一つまたはそれ以上の欠陥リストポインタを含み、
（ｂ）前記一つまたはそれ以上の記録単位のうちの一つの記録単位に欠陥がある場合に、
当該欠陥のある記録単位に記録すべき欠陥リストデータを前記仮欠陥管理領域の他の記録単位に書き換えするステップと、
アップデートされた位置情報を前記仮欠陥管理領域に記録するステップと、
を実行するようにプログラムされ、
前記アップデートされた位置情報は、前記欠陥のある記録単位の位置を表す欠陥リストポインタの代わりに、前記他の記録単位の位置を表す欠陥リストポインタを含む、
ことを特徴とするプログラム。
【発明の詳細な説明】
【技術分野】
【０００１】
本発明は、高密度光ディスク上の欠陥領域を管理する方法に係り、特に、１回だけ記録可能な光ディスクと、ブルーレイディスク（ＢＤ−ＷＯ）のような高密度光ディスク上の欠陥領域を管理する方法及び装置に係る。
【背景技術】
【０００２】
光記録媒体として大容量のデータが記録可能な光ディスクが広く使用されている。そのうちでも、近年では、高画質のビデオデータと高音質のオーディオデータを長時間記録し格納することができる新規な高密度光記録媒体（ＨＤ−ＤＶＤ）、例えば、ブルーレイディスク（Ｂｌｕ−ｒａｙＤｉｓｃ）が開発されている。
【０００３】
次世代ＨＤ―ＤＶＤ技術であるブルーレイディスク（Ｂｌｕ−ｒａｙＤｉｓｃ）は、既存のＤＶＤを遥かに超える容量のデータを格納することができる次世代光記録ソリューションである。ブルーレイディスクは、６５０ｎｍ波長の赤色レーザーを使用する現在のＤＶＤに比べて遥かに密な４０５ｎｍ波長の青紫色レーザーを使用する。また、ブルーレイディスクは、厚さ１．２ｍｍ、直径１２ｃｍを有し、０．１ｍｍの光透過層を有するため、現在のＤＶＤに比べて遥かに大量のデータを格納することができる。
【０００４】
ブルーレイディスクに関わる各種の標準案が設けられつつあり、書き換え可能なブルーレイディスク（ＢＤ−ＲＥ）及び１回だけ記録可能なブルーレイディスク（ＢＤ−ＷＯ）に関わる標準案が開発されつつある。
【０００５】
図１は、書き換え可能なブルーレイディスク（ＢＤ−ＲＥ）の記録領域の構造を図式的に示している。同図に示すＢＤ−ＲＥは、一つの記録層を有するディスクの記録領域の構造を示している。記録領域は、ディスクの内周から始まって、リードイン領域（Ｌｅａｄ−ＩｎＡｒｅａ）と、データ領域（ＤａｔａＡｒｅａ）、及びリードアウト領域（Ｌｅａｄ−Ｏｕｔ Ａｒｅａ）とに区画される。また、データ領域内の内周と外周には、欠陥領域を代替するためのインナー・スペア領域（ＩＳＡ０）とアウター・スペア領域（ＯＳＡ０）が備えられ、データ領域の中間部分は、ユーザーデータを記録するユーザーデータ領域（ｕｓｅｒｄａｔａ ａｒｅａ）が備えられている。
【０００６】
書き換え可能なブルーレイディスク（ＢＤ−ＲＥ）において、データを記録する途中にユーザーデータ領域から欠陥領域が検出されると、前記欠陥領域に記録されたデータをスペア領域へと移記する動作を行う。また、欠陥領域を管理するための欠陥管理情報として、欠陥領域及び代替記録された領域などに関わる位置などの情報をリードイン及びリードアウト領域に備えられた欠陥管理領域（ＤＭＡ１〜ＤＭＡ４）に記録する。なお、ＢＤ−ＲＥ内のいずれの領域にも繰り返し記録したり、消去したりすることが可能であるため、特に記録方式に拘ることなくランダムにディスクの全域を使用することができるようになる。
【０００７】
１回だけ記録可能なブルーレイディスク（ＢＤ−ＷＯ）は、高品質のデータをディスクに記録したり、再生するための新規なタイプの高密度光ディスクである。ＢＤ−ＷＯは、データを１回だけ記録することができ、書き換えは不可能である。しかし、ＢＤ−ＷＯを繰り返し再生することは可能である。即ち、ＢＤ−ＷＯは、記録媒体へのデータの書き換えが望ましくないか、必須ではない場合に有用であるといえる。
【０００８】
現状、高密度光ディスク、例えば、ＢＤ−ＷＯに対する規格化が議論されつつある。関連して、ＢＤ−ＷＯ固有の特性により、ＢＤ−ＷＯにおける欠陥領域を管理する方法及び装置と、ディスクの構造も必要とされ、かかる技術は、ＢＤ−ＷＯの商業的活用可能性、及び動作の便宜性を提供するはずである。
【０００９】
ＢＤ−ＷＯでは、ディスクの特定領域への記録が１回だけ可能であることから、記録方式に多くの制約が伴う。従って、ディスクの全域に対するランダムな使用は、欠陥管理の難しさのため困難である。また、ＢＤ−ＷＯのような高密度の１回だけ記録可能なディスクにおいても、欠陥領域の管理は、データの記録時における重要な技術とされている。従って、１回だけ記録可能な光ディスクにおいてもディスク上の欠陥情報を管理するための統一した規格が要求されている。
【発明の概要】
【発明が解決しようとする課題】
【００１０】
そこで、本発明は、従来技術の問題点などを実質的に解決するためになされたものであって、記録が一回だけ可能であるタイプの光ディスク、欠陥領域を識別し、欠陥領域を管理する方法及び装置を提供することに向けられている。
【００１１】
本発明の目的は、欠陥領域を識別し、欠陥領域を管理する方法にある。
【課題を解決するための手段】
【００１２】
前記目的を達成するための本発明に係る記録媒体の管理方法は、最新の欠陥管理領域を有する非データ領域と、ユーザ領域およびスペア領域を有するデータ領域と、を含む記録媒体の管理方法において、（ａ）前記非データ領域および前記スペア領域のうち少なくとも一つに割り当てられている仮欠陥管理領域の一つまたはそれ以上の記録単位に、前記データ領域内に存在する欠陥領域を管理するための欠陥リストを記録するステップと、前記仮欠陥管理領域に、前記欠陥リストの位置情報を記録するステップと、を備え、前記位置情報は、前記欠陥リストを含む前記一つまたはそれ以上の記録単位の位置をそれぞれ表す一つまたはそれ以上の欠陥リストポインタを含み、（ｂ）前記一つまたはそれ以上の記録単位のうちの一つの記録単位に欠陥がある場合に、当該欠陥のある記録単位に記録すべき欠陥リストデータを前記仮欠陥管理領域の他の記録単位に書き換えするステップと、アップデートされた位置情報を前記仮欠陥管理領域に記録するステップと、を備え、前記アップデートされた位置情報は、前記欠陥のある記録単位の位置を表す欠陥リストポインタの代わりに、前記他の記録単位の位置を表す欠陥リストポインタを含む、ことを特徴とする。
【００１３】
また、本発明に係る記録媒体の管理方法において、前記仮欠陥管理領域のそれぞれの記録単位のサイズが１クラスタであっても良い。
【００１４】
また、本発明に係る記録媒体の管理方法において、前記位置情報は複数の欠陥リストポインタを含み、前記一つまたはそれ以上の記録単位の位置を表すのに使用されていない欠陥リストポインタはゼロと設定されても良い。
【００１５】
また、本発明に係る記録媒体の管理方法において、前記位置情報は、前記欠陥リストを含む前記一つまたはそれ以上の記録単位のうち最新の記録単位に記録されても良い。
【００１６】
また、前記目的を達成するための本発明に係る記録媒体の管理装置は、最新の欠陥管理領域を有する非データ領域と、ユーザ領域およびスペア領域を有するデータ領域と、を含む記録媒体の管理装置において、前記記録媒体にデータを記録するピックアップと、前記ピックアップと連動可能に接続され、前記ピックアップが、前記非データ領域および前記スペア領域のうち少なくとも一つに割り当てられている仮欠陥管理領域の一つまたはそれ以上の記録単位に、前記データ領域内に存在する欠陥領域を管理するための欠陥リストを記録し、且つ前記仮欠陥管理領域に、前記欠陥リストの位置情報を記録するように制御するマイクロコンピュータと、を備え、前記位置情報は、前記欠陥リストを含む前記一つまたはそれ以上の記録単位の位置をそれぞれ表す一つまたはそれ以上の欠陥リストポインタを含み、前記一つまたはそれ以上の記録単位のうちの一つの記録単位に欠陥がある場合に、前記マイクロコンピュータは、前記ピックアップが、当該欠陥のある記録単位に記録すべき欠陥リストデータを前記仮欠陥管理領域の他の記録単位に書き換えするように、且つアップデートされた位置情報を前記仮欠陥管理領域に記録するように制御し、前記アップデートされた位置情報は、前記欠陥のある記録単位の位置を表す欠陥リストポインタの代わりに、前記他の記録単位の位置を表す欠陥リストポインタを含む、ことを特徴とする。
【００１７】
また、本発明に係る記録媒体の管理装置において、前記マイクロコンピュータは、前記ピックアップが、前記仮欠陥管理領域のそれぞれの記録単位を１クラスタのサイズとして記録するように制御しても良い。
【００１８】
また、本発明に係る記録媒体の管理装置において、前記マイクロコンピュータは、前記記録媒体への更なる記録を行わないときに、前記ピックアップが、前記最新の欠陥管理領域に、前記仮欠陥管理領域に記録された前記最新の欠陥リストを記録するように制御しても良い。
【００１９】
また、本発明に係る記録媒体の管理装置において、前記位置情報は複数の欠陥リストポインタを含み、前記マイクロコンピュータは、前記一つまたはそれ以上の記録単位の位置を表すのに使用されていない欠陥リストポインタをゼロと設定しても良い。
【００２０】
また、本発明に係る記録媒体の管理装置において、前記マイクロコンピュータは、前記ピックアップが、前記欠陥リストを含む前記一つまたはそれ以上の記録単位のうち最新の記録単位に、前記位置情報を記録するように制御しても良い。
【００２１】
また、本発明に係る記録媒体の管理装置において、前記位置情報は合計８つの前記欠陥リストポインタを含んでも良い。
【００２２】
また、本発明に係る記録媒体の管理装置において、前記ピックアップが前記記録媒体と一定の間隔を保持するように制御し、且つ前記ピックアップが前記記録媒体のトラックをトラッキングするように制御するサーボと、前記記録媒体に記録されるデータを処理し、当該処理されたデータを前記ピックアップに供給するデータプロセッサと、前記記録媒体に関わるデータを格納するメモリと、を備え、前記マイクロコンピュータは、前記ピックアップ、前記サーボ、前記データプロセッサ、および前記メモリの構成要素と連動可能に接続され、前記マイクロコンピュータは、前記構成要素を制御することにより、前記ピックアップが前記欠陥リストおよび前記位置情報を前記仮欠陥管理領域の前記一つまたはそれ以上の記録単位に記録するように制御しても良い。
【００２３】
また、前記目的を達成するための本発明に係る記録媒体の管理方法は、最新の欠陥管理領域を有する非データ領域と、ユーザ領域およびスペア領域を有するデータ領域と、を含む記録媒体の管理方法において、（ａ）前記非データ領域および前記スペア領域のうち少なくとも一つに割り当てられている仮欠陥管理領域より、欠陥リストの位置情報を読み込むステップを備え、前記位置情報は、対応記録単位の位置を表す一つまたはそれ以上の欠陥リストポインタを含み、前記対応記録単位は、欠陥を有さず、前記仮欠陥管理領域の前記欠陥リストを含み、（ｂ）前記位置情報に基づき、前記仮欠陥管理領域の前記対応記録単位より前記欠陥リストを取得するステップを更に備える、ことを特徴とする。
【００２４】
また、本発明に係る記録媒体の管理方法において、（ｃ）前記欠陥リストを含む一つの記録単位に欠陥があり、当該欠陥のある記録単位が前記仮欠陥管理領域の他の記録単位に置き換えられた場合に、前記位置情報をアップデートするステップを更に備え、当該アップデートされた位置情報が、前記欠陥のある記録単位の位置を表す欠陥リストポインタの代わりに、前記他の記録単位の位置を表す欠陥リストポインタを含んでも良い。
【００２５】
また、前記目的を達成するための本発明に係る記録媒体の管理装置は、最新の欠陥管理領域を有する非データ領域と、ユーザ領域およびスペア領域を有するデータ領域と、を含む記録媒体の管理装置において、前記記録媒体にデータを記録するピックアップと、前記ピックアップと連動可能に接続され、前記ピックアップを制御するマイクロコンピュータと、を備え、前記マイクロコンピュータは、前記ピックアップが、前記非データ領域および前記スペア領域のうち少なくとも一つに割り当てられている仮欠陥管理領域より、欠陥リストの位置情報を読み込むように制御し、前記位置情報は、対応記録単位の位置を表す一つまたはそれ以上の欠陥リストポインタを含み、前記対応記録単位は、欠陥を有さず、前記仮欠陥管理領域の前記欠陥リストを含み、前記マイクロコンピュータは、前記ピックアップが、前記位置情報に基づき、前記仮欠陥管理領域の前記対応記録単位より前記欠陥リストを取得するように制御する、ことを特徴とする。
【００２６】
また、本発明に係る記録媒体の管理装置において、前記欠陥リストを含む一つの記録単位に欠陥があり、当該欠陥のある記録単位が前記仮欠陥管理領域の他の記録単位に置き換えられた場合に、前記マイクロコンピュータは、前記位置情報をアップデートし、当該アップデートされた位置情報が、前記欠陥のある記録単位の位置を表す欠陥リストポインタの代わりに、前記他の記録単位の位置を表す欠陥リストポインタを含んでも良い。
【００２７】
また、前記目的を達成するための本発明に係るコンピュータ読み取り可能な記録媒体は、最新の欠陥管理領域を有する非データ領域と、ユーザ領域およびスペア領域を有するデータ領域と、を含む記録媒体を管理する動作を実行するプログラムを格納したコンピュータ読み取り可能な記録媒体において、前記プログラムは、（ａ）前記非データ領域および前記スペア領域のうち少なくとも一つに割り当てられている仮欠陥管理領域の一つまたはそれ以上の記録単位に、前記データ領域内に存在する欠陥領域を管理するための欠陥リストを記録するステップと、前記仮欠陥管理領域に、前記欠陥リストの位置情報を記録するステップと、を実行するようにプログラムされ、前記位置情報は、前記欠陥リストを含む前記一つまたはそれ以上の記録単位の位置をそれぞれ表す一つまたはそれ以上の欠陥リストポインタを含み、（ｂ）前記一つまたはそれ以上の記録単位のうちの一つの記録単位に欠陥がある場合に、当該欠陥のある記録単位に記録すべき欠陥リストデータを前記仮欠陥管理領域の他の記録単位に書き換えするステップと、アップデートされた位置情報を前記仮欠陥管理領域に記録するステップと、を実行するようにプログラムされ、前記アップデートされた位置情報は、前記欠陥のある記録単位の位置を表す欠陥リストポインタの代わりに、前記他の記録単位の位置を表す欠陥リストポインタを含む、ことを特徴とする。
【００２８】
また、前記目的を達成するための本発明に係るプログラムは、最新の欠陥管理領域を有する非データ領域と、ユーザ領域およびスペア領域を有するデータ領域と、を含む記録媒体を管理する動作を実行するプログラムにおいて、（ａ）前記非データ領域および前記スペア領域のうち少なくとも一つに割り当てられている仮欠陥管理領域の一つまたはそれ以上の記録単位に、前記データ領域内に存在する欠陥領域を管理するための欠陥リストを記録するステップと、前記仮欠陥管理領域に、前記欠陥リストの位置情報を記録するステップと、を実行するようにプログラムされ、前記位置情報は、前記欠陥リストを含む前記一つまたはそれ以上の記録単位の位置をそれぞれ表す一つまたはそれ以上の欠陥リストポインタを含み、（ｂ）前記一つまたはそれ以上の記録単位のうちの一つの記録単位に欠陥がある場合に、当該欠陥のある記録単位に記録すべき欠陥リストデータを前記仮欠陥管理領域の他の記録単位に書き換えするステップと、アップデートされた位置情報を前記仮欠陥管理領域に記録するステップと、を実行するようにプログラムされ、前記アップデートされた位置情報は、前記欠陥のある記録単位の位置を表す欠陥リストポインタの代わりに、前記他の記録単位の位置を表す欠陥リストポインタを含む、ことを特徴とする。
【００２９】
前記目的を達成するための本発明に係る光記録媒体の管理方法は、ユーザーデータ領域内に少なくとも一つの欠陥領域を有する光記録媒体を管理する方法において、前記少なくとも一つの欠陥領域を管理するための欠陥管理情報として少なくとも一つの仮欠陥リストを仮欠陥管理領域内に記録し、前記仮欠陥管理領域内の最新の仮欠陥リストの位置を指定する少なくとも一つの仮欠陥リストポインタとして位置情報を記録することを含んでなることを特徴とする。
【００３０】
本発明に係る他の光記録媒体の管理方法は、ユーザーデータ領域内に少なくとも一つの欠陥領域を有する光記録媒体を管理する方法において、前記少なくとも一つの欠陥領域を管理するための欠陥管理情報として少なくとも一つの仮欠陥リストを仮欠陥管理領域内に記録し、前記仮欠陥管理領域の各記録単位に対し、前記仮欠陥リストを別個の欠陥リストとして分けて記録し、前記仮欠陥管理領域内の各記録単位に対し、仮欠陥リストの位置を指定する少なくとも一つの仮欠陥リストポインタとして位置情報を記録することを含んでなることを特徴とする。
【００３１】
本発明に係る記録媒体は、データ領域内のユーザーデータ領域と、ユーサーデータ領域内の少なくとも一つの欠陥領域の代替データの管理のために設けられる欠陥管理情報を記録するための仮欠陥管理領域と、前記仮欠陥管理領域内に備える第一の欠陥管理領域と、前記仮欠陥管理領域内に最新の欠陥リストの位置を指定する位置情報を記録する第二の欠陥管理領域と、を備えることを特徴とする。
【００３２】
本発明に係る他の記録媒体は、データ領域内のユーザーデータ領域と、前記ユーサーデータ領域内の少なくとも一つの欠陥領域の代替データの管理のために設けられる欠陥管理情報を記録するための仮欠陥管理領域と、前記少なくとも一つの欠陥領域を管理するための欠陥管理情報として記録される、前記仮欠陥管理領域内の仮欠陥リストと、前記仮欠陥管理領域内の最新の仮欠陥リストの位置を指定する位置情報を含む少なくとも一つの仮欠陥リストポインタと、を含んでなることを特徴とする。
【００３３】
本発明に係る光記録媒体の管理装置は、少なくとも一つの仮欠陥管理領域とデータ領域内にスペア領域を備える光記録媒体を管理する装置において、前記少なくとも一つの欠陥領域を管理するための欠陥管理情報として少なくとも一つの仮欠陥リストを前記仮欠陥管理領域内に記録する記録手段と、前記仮欠陥管理領域内に最も最新の仮欠陥リストの位置を指定する少なくとも一つの仮欠陥リストポインタとして位置情報を記録する手段と、を含んでなることを特徴とする。
【００３４】
本発明に係る他の光記録媒体の管理装置は、少なくとも一つの仮欠陥管理領域とデータ領域内にスペア領域を備える光記録媒体を管理する装置において、前記少なくとも一つの欠陥領域を管理するための欠陥管理情報として少なくとも一つの仮欠陥リストを前記仮欠陥管理領域内に記録する記録手段と、前記仮欠陥管理領域の各記録単位に対し、前記仮欠陥リストを別個の欠陥リストとして分けて記録する記録手段と、前記仮欠陥管理領域内の各記録単位に対し、仮欠陥リストの位置を指定する少なくとも一つの仮欠陥リストポインタとして位置情報を記録する手段と、を含んでなることを特徴とする。
【００３５】
本発明の適用可能な範囲は、以下の実施形態により一層明確になるはずである。なお、本発明の好適な実施形態を説明するに際する具体的な記載と特定の例は、本発明を説明するためのものに過ぎず、従って、本発明の技術分野の当業者でにとっては、本発明の技術思想の範囲内で種々の変更及び修正が可能であることは自明である。
【００３６】
本発明の更なる目的及び利点は、添付図面に沿っての以下の詳細な説明からより一層明らかとなろう。
【図面の簡単な説明】
【００３７】
【図１】従来の書き換え可能な光ディスクの構造を示す図である。
【図２】本発明に係る光ディスクの記録再生装置を示すブロック図である。
【図３Ａ】本発明に係る１回だけ記録可能な単層ブルーレイディスク（ＢＤ−ＷＯ）の構造を示す図である。
【図３Ｂ】本発明に係る１回だけ記録可能な二層ブルーレイディスク（ＢＤ−ＷＯ）の構造を示す図である。
【図４】本発明に係る１回だけ記録可能な光ディスクの構造を示す図である。
【図５Ａ】本発明に係る１回だけ記録可能な光ディスクに適用されるＴＤＦＬとＴＤＤＳの構造を示す図である。
【図５Ｂ】本発明に係る１回だけ記録可能な光ディスクに適用されるＴＤＦＬとＴＤＤＳの構造を示す図である。
【図６Ａ】本発明の第一の実施形態に係る１回だけ記録可能な光ディスクにおける欠陥情報を管理する方法を示す図である。
【図６Ｂ】本発明の第一の実施形態に係る１回だけ記録可能な光ディスクにおける欠陥情報を管理する方法を示す図である。
【図７Ａ】本発明の第二の実施形態に係る１回だけ記録可能な光ディスクにおける欠陥情報を管理する方法を示す図である。
【図７Ｂ】本発明の第二の実施形態に係る１回だけ記録可能な光ディスクにおける欠陥情報を管理する方法を示す図である。
【図８Ａ】本発明の第三の実施形態に係る１回だけ記録可能な光ディスクにおける欠陥情報を管理する方法を示す図である。
【図８Ｂ】本発明の第三の実施形態に係る１回だけ記録可能な光ディスクにおける欠陥情報を管理する方法を示す図である。
【図９Ａ】本発明の第四の実施形態に係る１回だけ記録可能な光ディスクにおける欠陥情報を管理する方法を示す図である。
【図９Ｂ】本発明の第四の実施形態に係る１回だけ記録可能な光ディスクにおける欠陥情報を管理する方法を示す図である。
【発明を実施するための形態】
【００３８】
以下、図面を参照して本発明の実施形態を詳細に説明すれば、次の通りである。
【００３９】
図２は、本発明に係る光ディスクの記録再生装置２０について例を挙げて示したブロック図である。光ディスクの記録再生装置２０は、記録媒体２１にデータを記録したり記録媒体からデータを読み込むピックアップ２２と、ピックアップの対物レンズと記録媒体２１との間隔を一定に保持し、記録媒体２１上のトラックをトラッキングサーボし一定に保持するサーボ２３と、ピックアップで読み込んだ信号を処理したり、記録のためにピックアップに入力すべき信号を信号処理するデータプロセッサ２４と、外部ホスト３０とのデータ及び／またはコマンドをやり取りするインターフェイス２５と、記録媒体２１に関わる欠陥管理データを含む情報とデータを格納するメモリまたはストレージ２７と、記録再生装置２０の各構成要素の動作を制御するマイコンまたは制御部２６と、を含む。
【００４０】
記録媒体２１に記録したり記録媒体２１から読み込んだりするデータは、メモリ２７に格納すればよく、光記録再生装置２０内の全ての構成要素は、連動可能に相互接続されている。前記記録媒体２１は、ＢＤ−ＷＯのような１回だけ記録可能な記録媒体である。
【００４１】
図３Ａ及び図３Ｂは、本発明において、ＢＤ−ＷＯのような１回だけ記録可能な光ディスクの単層ＢＤ−ＷＯと二層ＢＤ−ＷＯをそれぞれ示す図である。同図に示すように、ＢＤ−ＷＯは、一つまたは二つの記録層を有する。図３Ａは、一つの記録層（Ｌａｙｅｒ０）を有するＢＤ−ＷＯの構造であって、一つの記録層は、リードイン領域（ＬＩＡ）と、データ領域、及びリードアウト領域（ＬＯＡ）から構成され、このようなディスクを単層ディスクという。
【００４２】
図３Ｂは、二つの記録層（Ｌａｙｅｒ０、１）を有するＢＤ−ＷＯの構造であって、第一の記録層（Ｌａｙｅｒ０）は、リードイン領域（ＬＩＡ）と、データ領域、及びアウター・ゾーン（Ｏｕｔｅｒｚｏｎｅ）から構成され、第二の記録層（Ｌａｙｅｒ１）は、リードアウト領域（ＬＯＡ）と、データ領域、及びアウター・ゾーン（Ｏｕｔｅｒｚｏｎｅ）から構成され、このようなディスクを二層ディスクという。一般に、データの記録は、点線の矢印で示した方向に沿って行われ、単層ディスクは、２３．３、２５、または２７ギガバイト（Ｇｂｙｔｅｓ）の記録容量を有し、二層ディスクは、４６．６、５０、または５４ギガバイトの記録容量を有する。
【００４３】
関連して、本発明の各種の実施形態（後述する）は、前記単層ＢＤ−ＷＯまたは二層ＢＤ−ＷＯのいずれのタイプのディスクにも適用可能である。更に、本発明の方法に関わる図２に示す記録再生装置２０の活用を後述するが、本発明は、前記装置に限定されることではなく、本発明の方法を実現する他の記録再生装置を含む。以下、好適な実施形態についてＢＤ−ＷＯを参照して詳細に説明することにする。
【００４４】
図４は、１回だけ記録可能な光ディスク（例えば、ＢＤ−ＷＯ）の構造を例を挙げて示す図であって、本発明に係るディスクの管理情報を記録する方法を示している。同図に示す１回だけ記録可能な光ディスクは、一つの記録層を有する単層ディスクである。光ディスクは、欠陥領域を代替するためのスペア領域として、例えば、インナー・スペア領域（ＩＳＡ０）とアウター・スペア領域（ＯＳＡ０）を含み、欠陥領域に関わる情報（例えば、物理的欠陥を管理するための情報）を管理するための一つまたはそれ以上のＴＤＭＡ（ＴｅｍｐｏｒａｒｙＤｅｆｅｃｔ ＭａｎａｇｅｍｅｎｔＡｒｅａ）を含んでいる。
【００４５】
一般の書き換え可能な光ディスクの場合には、ＤＭＡ（ＤｅｆｅｃｔＭａｎａｇｅｍｅｎｔ Ａｒｅａ）が制限された大きさをもっていても、ＤＭＡにデータを繰り返し記録し消去することが可能であるため、大きさの大きいＤＭＡが要求されない。しかし、１回だけ記録可能な光ディスク（例えば、ＢＤ−ＷＯ）の場合には、データを一度記録した領域にはデータの書き換えができないため、この種の記録媒体では、大の管理領域が必要になる。また、１回だけ記録可能な光ディスク上への更なる記録を行わない時には、最終または最新のＴＤＭＡ情報をＤＭＡへと移記する必要があり、かかる観点からＤＭＡとは区別されるＴＤＭＡ（ＴｅｍｐｏｒａｒｙＤＭＡ）と称す。
【００４６】
図４において、ＴＤＭＡ１は、リードイン領域に固定された大きさにて備えられ、ＴＤＭＡ２は、ＯＳＡ０内に可変的な大きさにて備えられ、ＯＳＡ０の大きさに連動する大きさを有する。例えば、図４に示すＴＤＭＡ２の大きさＰは、Ｐ＝（Ｎ×２５６）／４クラスタの大きさになることがある。前記各ＴＤＭＡは、欠陥管理のためにＴＤＭＬ（ＴｅｍｐｏｒａｒｙＤｅｆｅｃｔ Ｌｉｓｔ）とＴＤＤＳ（ＴｅｍｐｏｒａｒｙＤｉｓｃ ＤｅｆｉｎｉｔｉｏｎＳｔｒｕｃｔｕｒｅ）を格納するようになる。
【００４７】
前記ＴＤＦＬは、エントリリスト（ｅｎｔｒｙｌｉｓｔ）であり、エントリリストは、欠陥領域のデータをスペア領域内に代替記録する連続した過程を管理する情報を含んでいる。関連して、ＴＤＦＬの大きさは、欠陥領域の大きさに連動して可変的である。例えば、単層ディスクの場合、ＴＤＦＬは、１〜４クラスタ内の大きさを有し、二層ディスクの場合、ＴＤＦＬは、１〜８クラスタ内の大きさを有することが好ましい。
【００４８】
前記ＴＤＤＳは、１クラスタ単位内に備えてもよく、または前記ＴＤＦＬと一緒に（ＴＤＦＬ＋ＴＤＤＳ）１クラスタ単位内に備えてもよい。前記ＴＤＤＳは、１回だけ記録可能な光ディスクの管理情報及び本発明で要求する欠陥管理に関わる情報を含んでいる。即ち、前記欠陥管理情報は、ＴＤＦＬとＴＤＤＳ内に存在する一部の情報を意味する。
【００４９】
以下、ＴＤＦＬとＴＤＤＳ内の情報またはコンテンツの詳細を、図５Ａ〜図５Ｂを参照して説明する。図５Ａは、本発明に適用されるＴＤＦＬの構造についての一例を示す図である。前記ＴＤＦＬは、一般に３つの部分に分けられるところ、即ち、‘ＴＤＦＬヘッダ（ＴＤＦＬＨｅａｄｅｒ）’、‘欠陥エントリ（Ｄｅｆｅｃｔ＿ｅｎｔｒｙ＿Ｌｉｓｔ）’及び‘ＴＤＦＬ終了表示部（ＴＤＦＬＴｅｒｍｉｎａｔｏｒ）’とに分けられる。
【００５０】
前記ＴＤＦＬヘッダは、ＴＤＦＬの先頭部分であって欠陥管理を行うＴＤＦＬを認識する情報として使用される。即ち、ＴＤＦＬヘッダ内には、ＴＤＦＬ認識情報（ＴＤＦＬＩｄｅｎｔｉｆｉｅｒ）と、ＴＤＦＬがアップデートされる度に‘１’ずつ増すＴＤＦＬアップデート情報（ＴＤＦＬｕｐｄａｔｅ ｃｏｕｎｔ）と、当該ＴＤＦＬ内に存在する欠陥エントリの数を表す情報（Ｎｕｍｂｅｒｏｆ ＴＤＦＬｅｎｔｒｉｅｓ）と、欠陥エントリタイプ（ｅｎｔｒｙ ｔｙｐｅ）毎に存在する欠陥エントリの数を表す情報（Ｎｕｍｂｅｒ ｏｆ（１ｓｔ〜Ｎｔｈ）ｅｎｔｒｙ ｔｙｐｅ）を含んでいる。
【００５１】
前記欠陥エントリ（Ｄｅｆｅｃｔ＿ｅｎｔｒｙ＿Ｌｉｓｔ）は、ＴＤＦＬを構成する実質的な情報を含む領域であって、例えば、欠陥エントリ内には、欠陥領域と欠陥領域を代替した代替領域の位置情報を含んでいる。即ち、各エントリは、８バイトのデータで構成され、エントリのタイプを表す‘Ｓｔａｔｕｓ１’情報と、欠陥領域の位置情報を表す‘ＤｅｆｅｃｔｉｖｅＣｌｕｓｔｅｒ ＦｉｒｓｔＰＳＮ’情報と、代替データのための代替領域の位置情報を表す‘ＲｅｐｌａｃｅｍｅｎｔＣｌｕｓｔｅｒ ＦｉｒｓｔＰＳＮ’情報の順に一つのエントリが構成される。
【００５２】
前記ＴＤＦＬ終了表示部（ＴＤＦＬ Ｔｅｒｍｉｎａｔｏｒ）は、前記欠陥エントリ（Ｄｅｆｅｃｔ＿ｅｎｔｒｙ＿Ｌｉｓｔ）の終了を表す情報を含んでいる。即ち、二層ディスクでは、前記欠陥エントリ（Ｄｅｆｅｃｔ＿ｅｎｔｒｙ＿Ｌｉｓｔ）が最大８クラスタまで記録可能であり、単層ディスクでは、前記欠陥エントリ（Ｄｅｆｅｃｔ＿ｅｎｔｒｙ＿Ｌｉｓｔ）が最大４クラスタまで記録可能であるため、どの時点で前記欠陥エントリが終了したかを表すことが必要になる。
【００５３】
図５Ｂでは、図５ＡのＴＤＦＬと同一の構造を示し、また、ＴＤＦＬ情報と共に記録されるＴＤＤＳを示す図である。即ち、ＴＤＤＳは、ＴＤＦＬとは別の領域に記録してもよく（図５Ａ）、または同一のクラスタ内に両方共に記録してもよい（図５Ｂ）。
【００５４】
ＴＤＤＳ内には、各種の情報が記録されるが、本発明の実施形態では、ＴＤＤＳ内に最新のＴＤＦＬ位置情報（ＦｉｒｓｔＰＳＮ ｏｆｌａｔｅｓｔ ＴＤＦＬ）が含まれることを特徴とする。即ち、１回だけ記録可能な光ディスクでは、欠陥領域により前記ＴＤＦＬがアップデートされる度にＴＤＦＬの記録される位置が変わる。従って、常に最新のＴＤＦＬの位置情報を管理することが必要になる。前記ＴＤＦＬの記録される位置は、ＴＤＦＬポインタ（ｐｏｉｎｔｅｒ）により管理され、ＴＤＦＬポインタ内には、最新のＴＤＦＬの位置を指定する情報が含まれる。しかし、最新のＴＤＦＬの位置情報の数は、ＴＤＦＬの記録方法によって変わるようになり、これについての詳細は、後述する。
【００５５】
本発明で使用され、図面に示した‘ＦｉｒｓｔＰＳＮ’の用語は、特定のクラスタの第一の物理的セクタ番号を意味する。ＢＤ−ＷＯの場合、最小の記録単位が１クラスタとして定義され、１クラスタ内には、３２セクタが存在するため、前記‘ＦｉｒｓｔＰＳＮ’は、当該クラスタの先頭セクタの位置情報を意味する。結果として、前記‘ＦｉｒｓｔＰＳＮ’が当該クラスタの位置情報を意味するものであって、例えば、欠陥クラスタの第一のセクタ番号は、‘ｄｅｆｅｃｔｉｖｅｃｌｕｓｔｅｒＦｉｒｓｔ ＰＳＮ’になる。
【００５６】
以下、本発明の好適な実施形態に係るＴＤＦＬを記録する方法と、ＴＤＦＬポインタを記録する方法について詳細に説明する。まず、欠陥エントリ（Ｄｅｆｅｃｔ＿ｅｎｔｒｙ＿Ｌｉｓｔ）は、後述する図６Ａ〜図６Ｂの説明のために、ＴＤＦＬ１、ＴＤＦＬ１ｃ、ＴＤＦＬ２ｌ、ＴＤＦＬ３２等のように表した。関連して、ＴＤＦＬ１は、第一の段階（ｓｔａｇｅ１）で記録されたエントリを意味し、ＴＤＦＬ１ｃは、累積的に繰り返し記録されたＴＤＦＬ１を意味し、また、ＴＤＦＬ２１は、第二の段階（ｓｔａｇｅ２）で記録された第一のエントリを意味し、ＴＤＦＬ３２は、第三の段階（ｓｔａｇｅ３）で記録された第二のエントリを意味する。
【００５７】
前記ＴＤＦＬ終了表示部（ＴＤＦＬ Ｔｅｒｍｉｎａｔｏｒ）は、図６Ａ〜図６Ｂにおいて図面が複雑になることを避けるために図示を省いており、ＴＤＤＳ内に記録される最新のＴＤＦＬ位置情報（ＴＤＦＬｐｏｉｎｔｅｒ）を、Ｐ１、Ｐ２、Ｐ３、・・・にしてそれぞれ表した。また、記録単位としてのクラスタを太い実線で示し、ＴＤＭＡ内の情報（ｃｏｎｔｅｎｔｓ）がより明確に現われるようにした。
【００５８】
図６Ａ〜図６Ｂは、本発明の第一の実施形態に係る１回だけ記録可能な光ディスクにおける欠陥情報の管理方法を示す図である。図６Ａに示す本発明の第一の実施形態に係る欠陥情報の管理方法によれば、最新のＴＤＦＬは、前のＴＤＦＬと共に累積的に繰り返し記録される。従って、累積的に繰り返された１〜４クラスタ（または、１〜８クラスタ）のＴＤＦＬに対し、単に一つのＴＤＦＬヘッダとＴＤＦＬポインタがそれぞれ使用される。前記ＴＤＦＬヘッダとＴＤＦＬは、１クラスタ単位内に記録され管理される。単層ディスクの場合におけるＴＤＦＬの大きさは、１〜４クラスタの間で可変的であり、二層ディスクの場合におけるＴＤＦＬの大きさは、１〜８クラスタの間で可変的である。
【００５９】
第一の段階（ｓｔａｇｅ１）で、ＴＤＦＬ情報の一部として、ＴＤＦＬヘッダ１（ＴＤＦＬＨｅａｄｅｒ１）とＴＤＦＬ１が１クラスタ内に、例えば、図示しているように連続して記録される。ＴＤＤＳ内には、最新の欠陥管理情報の位置を指定する情報が記録される。図６Ａにおいて、前記最新の欠陥管理情報の位置を指定する情報（即ち、ＴＤＦＬポインタ）は、前述したようにＰ１にて表した。前記ポインタにより指定される位置情報は、‘ｆｉｒｓｔＰＳＮ’であって当該クラスタのアドレスを意味する。例えば、図６Ａにおいて、前記ポインタＰ１は、ＴＤＦＬヘッダ１の位置を指定するようになる。
【００６０】
図６Ａに示す第二の段階（ｓｔａｇｅ２）で、アップデート動作の間にＴＤＦＬ２１とＴＤＦＬ２２が記録される。前記欠陥管理情報は、ディスク上の１クラスタの記録単位内に１回記録状態で記録される。第二の段階（ｓｔａｇｅ２）で欠陥管理情報を記録する時は、ＴＤＦＬ２１及びＴＤＦＬ２２（これは、現のアップデート動作から得られた新規のＴＤＦＬ情報である）と、前に記録されたＴＤＦＬ情報（即ち、ＴＤＦＬ１ｃがＴＤＦＬ１を意味する）がＴＤＦＬヘッダ２（ＴＤＦＬＨｅａｄｅｒ２）とＴＤＤＳ２と共に記録される。即ち、ＴＤＦＬ情報は、アップデートを行う毎に新規のＴＤＦＬ情報と共に累積的に記録される。特に、前記第二の段階（ｓｔａｇｅ２）は、欠陥管理領域のリスト情報が１クラスタより大きく、２クラスタより小さい場合における記録方法に関する。例えば、‘ＴＤＦＬヘッダ２＋ＴＤＦＬ１ｃ＋ＴＤＦＬ２１’が１クラスタの大きさになるため、ＴＤＦＬ２２は、連続する次のクラスタの一部に記録される。関連して、ＴＤＦＬヘッダ２は、ＴＤＦＬ１ｃ、ＴＤＦＬ２１、及びＴＤＦＬ２２に関する情報を含んでいる。前記ＴＤＤＳ２内に記録されるポインタは、最新の欠陥情報位置Ｐ２であって、即ち、ＴＤＦＬヘッダ２のＰＳＮ値が記録されることを示す。また、前記欠陥管理情報は、累積的に記録されることから、最新のＰＳＮだけがポインタとして必要になる。即ち、本実施形態では、アップデート段階毎に単に一つのＴＤＦＬヘッダと一つのＴＤＦＬポインタを有するＴＤＤＳが生成され記録される。
【００６１】
各段階において、現のＴＤＦＬを並べ替える整列（ｓｏｒｔｉｎｇ）が行われ、前記整列は、予め決められた特定の基準に基づいて行われる。例えば、前記ＴＤＦＬは、まず、‘ｓｔａｔｕｓ１’（図５Ｂ参照）を基準に並べ替えられ、次に、ＴＤＦＬエントリの‘ｆｉｒｓｔＰＳＮ’を基準に並べ替えられる。勿論、他の基準を用いてもよいことは言うまでもない。
【００６２】
整列が行われた後の欠陥管理情報を、第三の段階（ｓｔａｇｅ３）において例を挙げて示した。関連して、前記欠陥管理情報は、ＴＤＦＬエントリタイプ（‘ｓｔａｔｕｓ１’）とＴＤＦＬエントリの‘ｆｉｒｓｔＰＳＮ’を基準に並べ替えたものである。即ち、第二の段階（ｓｔａｇｅ２）以降の前記整列は、Ｐ２ｘ位置に含まれる新規のＴＤＦＬエントリが生成されたことを仮定して行われた結果である。
【００６３】
仮に、記録すべき新規のＴＤＦＬエントリが生成されたとすれば、新規のＴＤＦＬは、前述した整列方式により並べ替えられた欠陥領域のリスト情報を反映して記録しなければならない。第三の段階（ｓｔａｇｅ３）は、これを示す段階である。即ち、ＴＤＦＬ１ｃ、ＴＤＦＬ２１、ＴＤＦＬ２２に関する全ての情報は、Ｐ２ｘにより並べ替えられて変更され、変更された欠陥管理領域のリスト情報は、ＴＤＦＬ３１、ＴＤＦＬ３２等のように記録され、また、ＴＤＦＬ３１、ＴＤＦＬ３２等に関連するＴＤＦＬヘッダ３は、当該情報の先頭に記録される。
【００６４】
ＴＤＤＳ３内には、最新の欠陥管理情報の位置情報Ｐ３が記録される。関連して、ＴＤＦＬ３１は１クラスタを占め、ＴＤＦＬ３２は、ＴＤＦＬ３１に続いて１クラスタより小さい大きさを占める。従って、第三の段階（ｓｔａｇｅ３）で前記欠陥領域の管理情報は、１クラスタよりは大きいが、２クラスタよりは小さい大きさを有するようになる。
【００６５】
前記実施形態を要約すれば、本発明の第一の実施形態に係る１回だけ記録可能な光ディスクにおける欠陥情報の管理方法によれば、前記ＴＤＦＬは、アップデートを行う度に１クラスタの記録単位で累積的に記録され、ＴＤＤＳは、単に一つのポインタとして前記最新の欠陥管理情報（ＴＤＦＬ）の位置を指定する。また、特定の整列方式により欠陥管理情報が変更される場合にも、そのような変更に適宜に対応することが可能になる。
【００６６】
図６Ａにおいて、前記ＴＤＦＬヘッダは、現に使用されたクラスタの個数を指定する情報を有し、前記情報は、欠陥管理情報の大きさが可変的であるため、どの程度のクラスタを欠陥管理領域リストとして活用したかを表すフラグ（ｆｌａｇ）情報を意味する。関連して、前記現に使用されたクラスタの個数を指定する情報は、ＴＤＦＬヘッダのみならず、ＴＤＤＳ内に記録することも可能である。
【００６７】
図６Ｂは、本発明の第一の実施形態に係る段階毎に可変するＴＤＦＬポインタを表すテーブルである。前述したように、第一の実施形態では、各段階毎に一つのポインタだけが必要であることが分かる。
【００６８】
図７Ａ〜図７Ｂは、本発明の第二の実施形態に係る１回だけ記録可能な光ディスクにおける欠陥情報の管理方法を示す図である。図７Ａに示す本発明の第二の実施形態に係る欠陥情報の管理方法によれば、最新のＴＤＦＬは、前のＴＤＦＬと共に累積的に繰り返し記録される。従って、累積的に繰り返された１〜４クラスタ（または、１〜８クラスタ）のＴＤＦＬに対し、単に一つのＴＤＦＬヘッダと各クラスタ毎に一つのＴＤＦＬポインタがそれぞれ使用される。各段階毎に記録されるＴＤＦＬは、前述した第一の実施形態と同一である。
【００６９】
第二の実施形態において、段階が進むにつれて増大するＴＤＦＬの大きさを考慮し、当該クラスタ毎に一つのＴＤＦＬポインタが使用される。従って、仮に、第二の段階（ｓｔａｇｅ２）のＴＤＦＬポインタＰ３により指定されたクラスタを記録途中に欠陥と判明しても、当該欠陥が発生したクラスタ（即ち、ＴＤＦＬ２２から始まるクラスタ）に記録すべきデータだけを他のクラスタに書き換えすることにより欠陥が克服できる。この場合、前記ＴＤＦＬポインタを、書き換えされた他の領域（クラスタ）を指定する値に変更する必要がある。即ち、全てのＴＤＦＬクラスタ毎にポインタが定義されることにより、欠陥が発生し書き換えが行われても、Ｐ３により指定されたポインタのみを変更するだけで済むため、当該クラスタの欠陥の克服が可能になる。従って、ＴＤＭＡは、ＴＤＦＬクラスタの大きさを減らすことができるため、一層効率よいＴＤＭＡの活用が可能になる。
【００７０】
図７Ｂは、本発明の第二の実施形態に係る、段階によるＴＤＦＬのアップデートに伴って可変するＴＤＦＬポインタを表すテーブルである。第二の実施形態では、最大８個のポインタが必要となり、各段階において使用していないポインタを‘０’と設定している。例えば、第一のＴＤＦＬポインタ（１ｓｔＴＤＦＬｐｏｉｎｔｅｒ）は、段階１（ｓｔａｇｅ１）、段階２（ｓｔａｇｅ２）、段階３（ｓｔａｇｅ３）毎にそれぞれＰ１位置、Ｐ２位置、Ｐ４位置を指定し、第二のＴＤＦＬポインタ（２ｎｄＴＤＦＬ ｐｏｉｎｔｅｒ）は、段階２（ｓｔａｇｅ２）、段階３（ｓｔａｇｅ３）においてそれぞれＰ３位置、Ｐ５位置を指定する。また、前記第一、第二のＴＤＦＬポインタ（１ｓｔ、２ｎｄ、ＴＤＦＬｐｏｉｎｔｅｒ）は、前述したように、指定されたクラスタの欠陥により書き換えが行われる場合、書き換えされたクラスタの位置へとポインタの位置が変更される。
【００７１】
図８Ａ〜図８Ｂは、本発明の第三の実施形態に係る１回だけ記録可能な光ディスクにおける欠陥情報の管理方法を示す図である。図８Ａに示す本発明の第三の実施形態に係る欠陥情報の管理方法によれば、最新のＴＤＦＬは、前のＴＤＦＬと共に累積的に繰り返し記録されるが、ＴＤＦＬヘッダは、各クラスタに対して別個に記録され、最新のＴＤＦＬの位置情報は、ＴＤＤＳ内に記録される。
【００７２】
第一の段階（ｓｔａｇｅ１）で、ＴＤＦＬヘッダ１（ＴＤＦＬＨｅａｄｅｒ１）とＴＤＦＬ１が１クラスタ内に記録されることと仮定する。ＴＤＤＳ内には、最新の欠陥管理情報の位置を指定する情報が記録され、図８Ａにおいて、これを前述したようにＰ１にて表した。前記ポインタにより指定される位置情報は、‘ｆｉｒｓｔＰＳＮ’であって当該クラスタのアドレスを意味する。図８Ａにおいて、前記ポインタＰ１は、ＴＤＦＬヘッダ１の第一の位置を指定するようになる。単層（ＳＬ）ディスクの場合、欠陥管理情報のための記録単位（クラスタ）が１〜４クラスタで可変的であるため、４個のポインタが必要になる。また、二層（ＤＬ）ディスクの場合、欠陥管理情報のための記録単位が最大８クラスタまで可変的であるため、最大８個のポインタが必要になる。
【００７３】
図８Ａに示す第二の段階（ｓｔａｇｅ２）で、アップデート動作の間にＴＤＦＬ２１とＴＤＦＬ２２が更に記録され、前に記録されたＴＤＦＬ（これをＴＤＦＬ１ｃと表した）と共に累積的に記録される。欠陥管理情報は、ディスク上の１クラスタの記録単位内に１回記録状態で記録される。第二の段階（ｓｔａｇｅ２）で欠陥管理情報を記録する時は、新規のＴＤＦＬ２１及びＴＤＦＬ２２と前に記録されたＴＤＦＬ情報（即ち、ＴＤＦＬ１ｃがＴＤＦＬ１を意味する）がＴＤＦＬヘッダ２（ＴＤＦＬＨｅａｄｅｒ２）、ＴＤＦＬヘッダ３（ＴＤＦＬＨｅａｄｅｒ３）、及びＴＤＤＳ２と共に記録される。
【００７４】
特に、前記第二の段階（ｓｔａｇｅ２）は、欠陥管理領域のリスト情報が１クラスタより大きく、２クラスタより小さい場合における記録方法に関する。例えば、‘ＴＤＦＬヘッダ２＋ＴＤＦＬ１ｃ＋ＴＤＦＬ２１’が１クラスタの大きさになるため、ＴＤＦＬ２２は、連続する次のクラスタの一部にＴＤＦＬヘッダ３と共に記録される。従って、ＴＤＤＳ２に記録されるポインタ値は、ＴＤＦＬポインタＰ２、Ｐ３により指定される最新の欠陥情報位置を表す。
【００７５】
第三の段階（ｓｔａｇｅ３）で、新規のＴＤＦＬ３１とＴＤＦＬ３２が、アップデート動作の間に前に記録されたＴＤＦＬ（これをＴＤＦＬ１ｃと表した）と共に累積的に記録される。欠陥管理情報は、前述したように、１回だけ記録可能なディスク上の１クラスタの記録単位内に１回記録状態で記録される。第三の段階（ｓｔａｇｅ３）で欠陥管理情報を記録する時は、新規のＴＤＦＬ３１及びＴＤＦＬ３２と前に記録されたＴＤＦＬ情報（即ち、ＴＤＦＬ２２ｃがＴＤＦＬ２２を意味する）がＴＤＦＬヘッダ４（ＴＤＦＬＨｅａｄｅｒ４）、ＴＤＦＬヘッダ５（ＴＤＦＬＨｅａｄｅｒ５）、及びＴＤＤＳ３と共に記録される。関連して、ＴＤＦＬヘッダ２（ＴＤＦＬＨｅａｄｅｒ２）及び関連するＴＤＦＬ１ｃとＴＤＦＬ２１を新規に記録せず、ＴＤＤＳ３内にＰ２の位置を表す情報だけを記録するため、不要な繰り返し記録が防止できるようになる。従って、ディスクの記録領域を効率よく使用することができ、欠陥管理記録のための活用可能な領域が増大するという長所がある。
【００７６】
仮に、ＴＤＦＬ２１ｃ、ＴＤＦＬ３１、及びＴＤＦＬ３２情報が１クラスタより大きく、２クラスタよりは小さいとすれば、例えば、‘ＴＤＦＬヘッダ４＋ＴＤＦＬ２２ｃ＋ＴＤＦＬ３１’が１クラスタの大きさになるため、ＴＤＦＬ３２は、連続する次のクラスタの一部にＴＤＦＬヘッダ５と共に記録される。従って、ＴＤＤＳ３に記録されるポインタ値は、ＴＤＦＬポインタＰ２、Ｐ４、Ｐ５により指定される最新の欠陥情報位置を表す。
【００７７】
この結果、最新のＴＤＦＬ情報を、ＴＤＤＳ３に記録された最新の欠陥管理情報の位置を表すＰ２、Ｐ４、Ｐ５を活用して獲得可能である。即ち、‘ＴＤＦＬヘッダ２＋ＴＤＦＬ１ｃ＋ＴＤＦＬ２１’情報を、第一のＴＤＦＬポインタとしてのＰ２位置情報を活用して取得可能であり、‘ＴＤＦＬヘッダ４＋ＴＤＦＬ２２ｃ＋ＴＤＦＬ３１’情報を、第二のＴＤＦＬポインタとしてのＰ４位置情報を活用して取得可能であり、‘ＴＤＦＬヘッダ５＋ＴＤＦＬ３２’情報を、第三のＴＤＦＬポインタとしてのＰ５位置情報を活用して取得可能になる。
【００７８】
前の実施形態で述べたように、各段階において、現のＴＤＦＬを特定順に並べ替える整列（ｓｏｒｔｉｎｇ）が行われ、例えば、第四の段階（ｓｔａｇｅ４）は、整列が行われた後の欠陥管理情報を示すものである。関連して、前記欠陥管理情報は、ＴＤＦＬエントリタイプ（‘ｓｔａｔｕｓ１’）とＴＤＦＬエントリの‘ｆｉｒｓｔＰＳＮ’を基準に並べ替えたものであって、第三の段階（ｓｔａｇｅ３）以降の前記整列は、Ｐ２ｘ位置に含まれる新規のＴＤＦＬエントリが生成されたことを仮定して行われた結果である。
【００７９】
即ち、ＴＤＦＬ１ｃ、ＴＤＦＬ２１、ＴＤＦＬ２２ｃ、ＴＤＦＬ３１、及びＴＤＦＬ３２に関する全ての情報は、Ｐ２ｘにより並べ替えられて変更され、変更されたＴＤＦＬ情報は、ＴＤＦＬ４１、ＴＤＦＬ４２、ＴＤＦＬ４３にて記録され、また、前記ＴＤＦＬと関連するＴＤＦＬヘッダ６、ＴＤＦＬヘッダ７、ＴＤＦＬヘッダ８、及びＴＤＤＳ４と共に記録される。また、ＴＤＤＳ４内には、最新の欠陥管理情報の位置情報としてのＰ６、Ｐ７、Ｐ８が記録される。関連して、‘ＴＤＦＬヘッダ６＋ＴＤＦＬ４１’が１クラスタを占め、‘ＴＤＦＬヘッダ７＋ＴＤＦＬ４２’が１クラスタを占め、‘ＴＤＦＬヘッダ８＋ＴＤＦＬ４３’が１クラスタより小さい大きさを占める。従って、第四の段階（ｓｔａｇｅ４）で、前記欠陥管理情報は、２クラスタよりは大きいが、３クラスタよりは小さい大きさを有するようになる。
【００８０】
要約すれば、本発明の第三の実施形態に係る１回だけ記録可能な光ディスクにおける欠陥情報の管理方法によれば、ＴＤＦＬヘッダとＴＤＦＬが、各ＴＤＦＬのアップデートを行う度に１クラスタの記録単位で記録される。また、ＴＤＤＳにより最新の欠陥管理情報の位置が表されるため、欠陥管理情報の記録が１クラスタを超えて行われても、前記最新の欠陥管理情報の位置を表す情報を活用することにより繰り返しの記録を最小化し、この結果、最新の欠陥管理情報を効率よく且つ即時に取得できるようになる。
【００８１】
また、図８Ａにおいて、ＴＤＦＬヘッダが、相応するＴＤＦＬコンテンツに関する情報を有している時に欠陥管理情報を取得することもできる。または、最新のＴＤＦＬヘッダが全てのＴＤＦＬ情報を含んでいる時に欠陥管理情報を取得することもできる。例えば、第二の段階（ｓｔａｇｅ２）で、前記ＴＤＦＬヘッダ２は、ＴＤＦＬ１ｃとＴＤＦＬ２１に関する情報だけを有しており、前記ＴＤＦＬヘッダ３は、ＴＤＦＬ２２に関する情報だけを有しているとすれば、結局のところ、欠陥領域に関連する全ての情報は、前記最新の欠陥管理情報の位置により指定された全てのヘッダ内のエントリ情報を全て行うことにより獲得可能になる。
【００８２】
しかしながら、仮に、ＴＤＦＬヘッダ５がＴＤＦＬ１ｃ、ＴＤＦＬ２１、ＴＤＦＬ２２ｃ、ＴＤＦＬ３１、及びＴＤＦＬ３２に関する全てのエントリ情報を含んでいるとすれば、最新のＴＤＦＬヘッダ内の情報だけにより全体の欠陥領域に関連する全ての情報を取得することが可能になる。
【００８３】
図８Ａにおいて、前記ＴＤＦＬヘッダは、現に使用されたクラスタの個数を指定する情報を更に有し、前記情報は、欠陥管理情報の大きさが可変的であるため、どの程度のクラスタを欠陥管理領域リストとして活用したかを表すフラグ（ｆｌａｇ）情報を意味する。欠陥管理情報の大きさが可変的であるため、前記フラグ情報は、特に有用なはずである。関連して、前記現に使用されたクラスタの個数を指定する情報は、ＴＤＦＬヘッダのみならず、ＴＤＤＳ内に記録することも可能である。
【００８４】
図８Ｂは、本発明の第三の実施形態に係る各段階毎に可変するＴＤＦＬポインタを表すテーブルである。第三の実施形態では、最大８個のポインタが必要となり、各段階において使用していないポインタを‘０’と設定している。図８Ｂの概念は、前述した図７Ｂと同一であるため、その詳細を省くことにする。
【００８５】
図９Ａ〜図９Ｂは、本発明の第四の実施形態に係る１回だけ記録可能な光ディスクにおける欠陥情報の管理方法を示す図である。図９Ａに示す本発明の第四の実施形態に係る欠陥情報の管理方法によれば、最新のＴＤＦＬは、前のＴＤＦＬと共に累積的に繰り返し記録されるが、ＴＤＦＬヘッダは、各クラスタに対し別個に記録され、最新のＴＤＦＬの位置情報は、ＴＤＤＳ内に記録される。第三の実施形態及び前の実施形態と比較してみて、本実施形態は、ＴＤＦＬヘッダがＴＤＦＬ情報の先頭部分に記録されず、その代わりにＴＤＤＳ内に記録されることにその特徴がある。即ち、ＴＤＤＳ内にＴＤＦＬヘッダを記録することによってＴＤＦＬヘッダ情報を記録するための複雑な方式を防ぐことができるようになる。即ち、このような構成では、ＴＤＦＬヘッダを各クラスタ毎に必要とせず、各ＴＤＦＬをアップデートする度に一度だけ記録することが可能になる。関連して、ＴＤＤＳの全体は、２０４８バイトから構成されるが、現に約１００バイト程度だけが活用され、前記ＴＤＦＬヘッダは、約６０バイトに相当するため、ＴＤＤＳ内にＴＤＦＬヘッダを記録するになんら問題がない。
【００８６】
図９Ｂは、本発明の第四の実施形態に係る、各段階毎に可変するＴＤＦＬポインタを表すテーブルである。第四の実施形態では、最大８個のポインタが必要となり、第三の実施形態と同様に各段階において使用していないポインタを‘０’と設定している。
【産業上利用可能性】
【００８７】
上述したように、欠陥管理のための統一した規格方式を開示した。
【００８８】
以上、本発明の好適な実施形態について図示し説明したが、本発明は、上述した実施形態に限定されるものではなく、特許請求の範囲で請求する本発明の要旨と思想を逸脱することなく種々の変更、または変形的な使用が可能であることは、当該発明の属する技術分野の当業者にとっては自明なことであり、従って、本発明の特許請求の範囲及びその均等な範囲内での変形的な使用は、本発明に属するということを明らかにする。
【符号の説明】
【００８９】
２０…光ディスク記録再生装置
２１…記録媒体
２２…ピックアップ
２３…サーボ
２４…データプロセッサ
２５…インターフェイス
２６…制御部
２７…ストレージ
３０…外部ホスト
【図１】
2010176833.tif 000003
【図２】
2010176833.tif 000004
【図３Ａ】
2010176833.tif 000005
【図３Ｂ】
2010176833.tif 000006
【図４】
2010176833.tif 000007
【図５Ａ】
2010176833.tif 000008
【図５Ｂ】
2010176833.tif 000009
【図６Ａ】
2010176833.tif 000010
【図６Ｂ】
2010176833.tif 000011
【図７Ａ】
2010176833.tif 000012
【図７Ｂ】
2010176833.tif 000013
【図８Ａ】
2010176833.tif 000014
【図８Ｂ】
2010176833.tif 000015
【図９Ａ】
2010176833.tif 000016
【図９Ｂ】
2010176833.tif 000017